(57)【特許請求の範囲】
【請求項１】
利用者を撮影するための撮影ブース（２０１）と、この撮影ブース（２０１）に隣接配置されている人形販売機（２０２）および印刷ステーション（２０３）とを有しており、
前記撮影ブース（２０１）には、操作パネル（２０５）およびカメラが設置されており、利用者が撮影ブース（２０１）内の所定の位置に立ち、あるいは座り、前記操作パネル（２０５）の撮影ボタン（２０７）を操作することにより、顔写真を撮影することができるようになっており、
前記人形販売機（２０２）には複数種類の人形（２１０）が展示および収納されており、利用者が、前記操作パネル（２０５）上の人形選択ボタン（２０８）を押すと、選択された人形が前記人形販売機（２０２）の販売口（２０９）から払い出されるようになっており、
前記人形販売機（２０２）から購入可能な人形（２１０）は、その顔部分（２１１）が平坦な面となっており、ここに、前記印刷ステーション（２０３）において前記カメラで撮影された前記顔写真の撮影画像が印刷された後の顔型（２１２）を着脱可能な状態で取り付けることができるようになっており、
前記顔型（２１２）はその表面側の部分は立体面とされ、目に対応する部位に窪みが形成され、唇に対応する部位が盛り上がっており、鼻に対応する部位も同様に隆起しており、前記顔型（２１２）の裏面は、前記人形（２１０）の顔部分（２１１）に対応する平坦面とされており、この中心には垂直に突起（２１３）が形成されており、この突起（２１３）を差込可能な差込穴（２１４）が前記人形（２１０）の顔部分（２１１）の中心に形成されており、
前記印刷ステーション（２０３）は、印刷媒体である前記顔型（２１２）の収納部（２２１）と、前記顔型（２１２）の表面に前記撮影画像の印刷を行うためのインクジェットプリンタ（１）と、このインクジェットプリンタ（１）を駆動制御する駆動制御装置としてのパーソナルコンピュータ（２２２）とを有しており、
前記パーソナルコンピュータ（２２２）は、ＣＰＵ、ＲＯＭ、ＲＡＭおよびデータおよび制御信号を送受するバスを備え、前記カメラから得られる前記顔写真の撮影画像を印刷データとしてインクジェットプリンタ（１）に供給する印刷データ生成機能を備えており、
前記収納部（２２１）において、前記顔型（２１２）は、長方形の顔型保持ベース（２３１）の表面に保持されており、前記顔型保持ベース（２３１）の上面には、一定の間隔で前記顔型（２１２）の取付面（２３２）が形成されており、各取付面（２３２）の中心には、前記顔型（２１２）の前記突起（２１３）を差し込み可能な取付孔（２３３）が形成されており、
前記インクジェットプリンタ（１）は、そのインクジェットヘッドによる印刷位置を経由して搬送される媒体搬送トレー（７）を備えており、この媒体搬送トレー（７）の上面には、前記顔型保持ベース（２３１）を担持可能な担持面（７４）が形成されており、この担持面（７４）には、前記顔型保持ベース（２３１）を位置決めするために、当該顔型保持ベース（２３１）を嵌め込み固定可能な浅い凹部が形成されており、
前記パーソナルコンピュータ（２２２）の制御により、前記印刷ステーション（２０３）の前記収納部（２２１）から、前記顔型（２１２）が取り付けられている前記顔型保持ベース（２３１）がインクジェットプリンタ（１）の媒体搬送トレー（７）に供給されて前記担持面（７４）に設置され、
前記顔型保持ベース（２３１）が担持された媒体搬送トレー（７）は前記インクジェットプリンタ（１）の印字位置を経由して搬送され、当該印字位置を通過する間に、各顔型（２１２）に前記撮影画像が印刷され、
前記インクジェットプリンタ（１）の印刷動作中において、前記操作パネル（２０５）の表示画面上に、前記人形の選択を促す指示が表示され、
各顔型（２１２）の印刷終了後に、排出口（２０４）から、前記撮影画像が印刷された前記顔型（２１２）が取り付けられた状態の前記顔型保持ベース（２３１）が利用者に払い出されることを特徴とするそっくり人形の制作システム。
【請求項２】
請求項１に記載のそっくり人形の制作システムに用いる前記印刷ステーション（２０３）であって、
印刷媒体である前記顔型（２１２）の収納部（２２１）と、
前記顔型（２１２）の表面に前記顔写真の印刷を行うためのインクジェットプリンタ（１）と、
このインクジェットプリンタ（１）を駆動制御する駆動制御装置としてのパーソナルコンピュータ（２２２）とを有しており、
前記パーソナルコンピュータ（２２２）は、ＣＰＵ、ＲＯＭ、ＲＡＭおよびデータおよび制御信号を送受するバスを備え、前記カメラから得られる前記撮影画像を印刷データとしてインクジェットプリンタ（１）に供給する印刷データ生成機能を備えており、
前記収納部（２２１）において、前記顔型（２１２）は、長方形の顔型保持ベース（２３１）の表面に保持されており、前記顔型保持ベース（２３１）の上面には、一定の間隔で前記顔型（２１２）の取付面（２３２）が形成されており、各取付面（２３２）の中心には、前記顔型（２１２）の前記突起（２１３）を差し込み可能な取付孔（２３３）が形成されており、
前記インクジェットプリンタ（１）は、そのインクジェットヘッドによる印刷位置を経由して搬送される媒体搬送トレー（７）を備えており、この媒体搬送トレー（７）の上面には、前記顔型保持ベース（２３１）を担持可能な担持面（７４）が形成されており、この担持面（７４）には、前記顔型保持ベース（２３１）を位置決めするために、当該顔型保持ベース（２３１）を嵌め込み固定可能な浅い凹部が形成されており、
前記パーソナルコンピュータ（２２２）の制御により、前記収納部（２２１）から、前記顔型（２１２）が取り付けられている前記顔型保持ベース（２３１）がインクジェットプリンタ（１）の媒体搬送トレー（７）に供給されて前記担持面（７４）に設置され、
前記顔型保持ベース（２３１）が担持された媒体搬送トレー（７）は前記インクジェットプリンタ（１）の印字位置を経由して搬送され、当該印字位置を通過する間に、各顔型（２１２）に前記顔写真が印刷され、
各顔型（２１２）の印刷終了後に、排出口（２０４）から、前記顔写真が印刷された前記顔型（２１２）が取り付けられた状態の前記顔型保持ベース（２３１）が利用者に払い出されることを特徴とする印刷ステーション（２０３）。
【発明の詳細な説明】
【技術分野】
【０００１】
本発明はインクジェットプリンタを利用したそっくり人形の制作システムおよび、当該そっくり人形の制作システムに用いる印刷ステーションに関するものである。
【背景技術】
【０００２】
近年、プリントクラブ（登録商標）装置が流行しており、若年層の間では、この装置により自分の顔写真などが印刷された小さなシールを作成して、携帯電話、手帳などに貼ることが広く普及している。このような装置は特許文献１、２などに開示されている。
【０００３】
ここで、携帯電話用のストラップなどとして用いられる人形の顔の部分に顔写真シールを貼り付けることが提案されている（特許文献３、４、５）。この場合、人形の顔は立体形状であるので、立体状の表面に沿って顔写真シールを密着状態に貼り付けることができるように、シール素材として伸縮性のあるシートを用いるようにしている。
【特許文献１】特開２００１−２９３９３８号公報
【特許文献２】特開２００１−３５２５０５号公報
【特許文献３】特開２００２−３０９２０２号公報
【特許文献４】特開２００２−３０６８５７号公報
【特許文献５】特開２００３−２８４８７２号公報
【発明の開示】
【発明が解決しようとする課題】
【０００４】
しかしながら、小さな人形の顔部分にシールを貼り付ける作業は面倒であり、位置がずれた状態で貼りついてしまうことが多い。また、平面状のシールに印刷された顔写真を曲面に貼り付けるので、貼り付けられた状態において前方から見た場合には、顔の周囲の部分がゆがんだ状態になってしまい、見た目も悪い。さらには、確実に貼り付けられないと、シールが剥がれ落ちてしまうこともある。
【０００５】
本発明の課題は、このような点に鑑みて、シールを用いることなく、簡単に顔写真が印刷されたそっくり人形を制作可能なそっくり人形の制作システムおよび印刷ステーションを提案することにある。
【課題を解決するための手段】
【０００７】
上記の課題を解決するために、本発明のそっくり人形の制作システムは、
利用者を撮影するための撮影ブース（２０１）と、この撮影ブース（２０１）に隣接配置されている人形販売機（２０２）および印刷ステーション（２０３）とを有しており、
前記撮影ブース（２０１）には、操作パネル（２０５）およびカメラが設置されており、利用者が撮影ブース（２０１）内の所定の位置に立ち、あるいは座り、前記操作パネル（２０５）の撮影ボタン（２０７）を操作することにより、顔写真を撮影することができるようになっており、
前記人形販売機（２０２）には複数種類の人形（２１０）が展示および収納されており、利用者が、前記操作パネル（２０５）上の人形選択ボタン（２０８）を押すと、選択された人形が前記人形販売機（２０２）の販売口（２０９）から払い出されるようになっており、
前記人形販売機（２０２）から購入可能な人形（２１０）は、その顔部分（２１１）が平坦な面となっており、ここに、前記印刷ステーション（２０３）において前記カメラで撮影された前記顔写真の撮影画像が印刷された後の顔型（２１２）を着脱可能な状態で取り付けることができるようになっており、
前記顔型（２１２）はその表面側の部分は立体面とされ、目に対応する部位に窪みが形成され、唇に対応する部位が盛り上がっており、鼻に対応する部位も同様に隆起しており、前記顔型（２１２）の裏面は、前記人形（２１０）の顔部分（２１１）に対応する平坦面とされており、この中心には垂直に突起（２１３）が形成されており、この突起（２１３）を差込可能な差込穴（２１４）が前記人形（２１０）の顔部分（２１１）の中心に形成されており、
前記印刷ステーション（２０３）は、印刷媒体である前記顔型（２１２）の収納部（２２１）と、前記顔型（２１２）の表面に前記撮影画像の印刷を行うためのインクジェットプリンタ（１）と、このインクジェットプリンタ（１）を駆動制御する駆動制御装置としてのパーソナルコンピュータ（２２２）とを有しており、
前記パーソナルコンピュータ（２２２）は、ＣＰＵ、ＲＯＭ、ＲＡＭおよびデータおよび制御信号を送受するバスを備え、前記カメラから得られる前記顔写真の撮影画像を印刷データとしてインクジェットプリンタ（１）に供給する印刷データ生成機能を備えており、
前記収納部（２２１）において、前記顔型（２１２）は、長方形の顔型保持ベース（２３１）の表面に保持されており、前記顔型保持ベース（２３１）の上面には、一定の間隔で前記顔型（２１２）の取付面（２３２）が形成されており、各取付面（２３２）の中心には、前記顔型（２１２）の前記突起（２１３）を差し込み可能な取付孔（２３３）が形成されており、
前記インクジェットプリンタ（１）は、そのインクジェットヘッドによる印刷位置を経由して搬送される媒体搬送トレー（７）を備えており、この媒体搬送トレー（７）の上面には、前記顔型保持ベース（２３１）を担持可能な担持面（７４）が形成されており、この担持面（７４）には、前記顔型保持ベース（２３１）を位置決めするために、当該顔型保持ベース（２３１）を嵌め込み固定可能な浅い凹部が形成されており、
前記パーソナルコンピュータ（２２２）の制御により、前記印刷ステーション（２０３）の前記収納部（２２１）から、前記顔型（２１２）が取り付けられている前記顔型保持ベース（２３１）がインクジェットプリンタ（１）の媒体搬送トレー（７）に供給されて前記担持面（７４）に設置され、
前記顔型保持ベース（２３１）が担持された媒体搬送トレー（７）は前記インクジェットプリンタ（１）の印字位置を経由して搬送され、当該印字位置を通過する間に、各顔型（２１２）に前記撮影画像が印刷され、
前記インクジェットプリンタ（１）の印刷動作中において、前記操作パネル（２０５）の表示画面上に、前記人形の選択を促す指示が表示され、
各顔型（２１２）の印刷終了後に、排出口（２０４）から、前記撮影画像が印刷された前記顔型（２１２）が取り付けられた状態の前記顔型保持ベース（２３１）が利用者に払い出されることを特徴としている。
【０００８】
本発明は、上記のそっくり人形の制作システムに用いる前記印刷ステーション（２０３）であって、
印刷媒体である前記顔型（２１２）の収納部（２２１）と、
前記顔型（２１２）の表面に前記顔写真の印刷を行うためのインクジェットプリンタ（１）と、
このインクジェットプリンタ（１）を駆動制御する駆動制御装置としてのパーソナルコンピュータ（２２２）とを有しており、
前記パーソナルコンピュータ（２２２）は、ＣＰＵ、ＲＯＭ、ＲＡＭおよびデータおよび制御信号を送受するバスを備え、前記カメラから得られる前記撮影画像を印刷データとしてインクジェットプリンタ（１）に供給する印刷データ生成機能を備えており、
前記収納部（２２１）において、前記顔型（２１２）は、長方形の顔型保持ベース（２３１）の表面に保持されており、前記顔型保持ベース（２３１）の上面には、一定の間隔で前記顔型（２１２）の取付面（２３２）が形成されており、各取付面（２３２）の中心には、前記顔型（２１２）の前記突起（２１３）を差し込み可能な取付孔（２３３）が形成されており、
前記インクジェットプリンタ（１）は、そのインクジェットヘッドによる印刷位置を経由して搬送される媒体搬送トレー（７）を備えており、この媒体搬送トレー（７）の上面には、前記顔型保持ベース（２３１）を担持可能な担持面（７４）が形成されており、この担持面（７４）には、前記顔型保持ベース（２３１）を位置決めするために、当該顔型保持ベース（２３１）を嵌め込み固定可能な浅い凹部が形成されており、
前記パーソナルコンピュータ（２２２）の制御により、前記収納部（２２１）から、前記顔型（２１２）が取り付けられている前記顔型保持ベース（２３１）がインクジェットプリンタ（１）の媒体搬送トレー（７）に供給されて前記担持面（７４）に設置され、
前記顔型保持ベース（２３１）が担持された媒体搬送トレー（７）は前記インクジェットプリンタ（１）の印字位置を経由して搬送され、当該印字位置を通過する間に、各顔型（２１２）に前記顔写真が印刷され、
各顔型（２１２）の印刷終了後に、排出口（２０４）から、前記顔写真が印刷された前記顔型（２１２）が取り付けられた状態の前記顔型保持ベース（２３１）が利用者に払い出されることを特徴としている。
【発明の効果】
【００２３】
本発明では、人形などの立体模型に、インクジェットプリンタを用いて直接に顔写真画像などを印刷するようにしている。インクジェットプリンタは、ドットインパクト式や熱転写式などの他の形式のプリンタとは異なり、印字ヘッドと印字面のギャップに多少のばらつきがあっても画像の印刷が可能であるので、印刷表面が立体表面であっても問題なく顔写真画像を印刷できる。したがって、プリントクラブ装置によって作成したシールを人形の顔に貼り付ける場合とは異なり、シール貼り付け作業が不要になる。また、貼り付け位置がずれるなどの弊害も発生しない。さらには、立体状（曲面状）の顔にシールを貼り付ける場合とは異なり、周囲の部分に歪みの少ない状態で写真画像を印刷できる。
【００２４】
これに加えて、顔型などを人形本体から着脱可能としておけば、これらの組み合わせを変えることにより、利用者の希望する人形を簡単に制作することができる。
【発明を実施するための最良の形態】
【００２５】
以下に、図面を参照して、本発明を適用したそっくり人形の制作システムの一例を説明する。
【００２６】
図１は、本例のそっくり人形の制作システムの全体構成を示す概略構成図であり、図２は人形を示す説明図である。本例の制作システム２００は、利用者を撮影するための撮影ブース２０１と、この撮影ブース２０１に隣接配置されている人形販売機２０２および印刷ステーション２０３とを備えている。
【００２７】
撮影ブース２０１には、操作パネル２０５、カメラ２０６などが設置されている。利用者は撮影ブース２０１内の所定の位置に立ち（あるいは座り）、操作パネル２０５の撮影ボタン２０７を操作することにより、顔写真を撮影することができるようになっている。また、人形販売機２０２には複数種類の人形が展示および収納されており、利用者は、操作パネル２０５の人形選択ボタン２０８を操作することにより、気に入った人形を選択して購入することが可能となっている。
【００２８】
人形販売機２０２から購入可能な人形２１０は、その顔部分２１１は平坦な面となっており、ここに、印刷ステーション２０３において撮影画像が印刷された後の顔型２１２を着脱可能な状態で取り付けることができるようになっている。顔型２１２はその表面側の部分は立体面とされ、目に対応する部位に窪みが形成され、唇に対応する部位が盛り上がっており、また、鼻に対応する部位も同様に隆起している。顔型２１２の裏面は、人形２１０の顔部分２１１に対応する平坦面とされており、この中心には垂直に突起２１３が形成されている。この突起２１３を差込可能な差込穴２１４が人形２１０の顔部分２１１の中心に形成されている。
【００２９】
印刷ステーション２０３は、印刷媒体である顔型２１２の収納部２２１と、顔型２１２の表面に印刷を行うためのインクジェットプリンタ１と、このインクジェットプリンタ１を駆動制御する駆動制御装置としてのパーソナルコンピュータ２２２とを有している。パーソナルコンピュータ２２２は、ＣＰＵ、ＲＯＭ、ＲＡＭおよびデータおよび制御信号を送受するバスを備え、カメラ２０６から得られる撮影画像を編集する編集機能と、編集された撮影画像を印刷データとしてインクジェットプリンタ１に供給する印刷データ生成機能を有している。
【００３０】
図３には、収納部２２１における顔型２１２の収納状態を示してある。顔型２１２は、長方形の顔型保持ベース２３１の表面に保持されている。顔型保持ベース２３１の上面には、一定の間隔で顔型２１２の取付面２３２が形成されており、各取付面２３２の中心には、顔型２１２の突起２１３を差し込み可能な取付孔２３３が形成されている。本例では、１０個の取付面２３２が形成されている。
【００３１】
次に、インクジェットプリンタ１は、図１に示すように、そのインクジェットヘッドによる印刷位置を経由して搬送される媒体搬送トレー７を備えている。この媒体搬送トレー７の上面には、上記の顔型保持ベース２３１を担持可能な担持面７４が形成されており、この担持面７４には、顔型保持ベース２３１を位置決めするために、当該顔型保持ベース２３１を嵌め込み固定可能な浅い凹部が形成されている。インクジェットプリンタ１の詳細な構成については後述する。
【００３２】
次に、図４を参照して、本例のシステム２００による顔型印刷動作を説明する。まず、顔型２１２がプラスチックなどの撥水性素材から形成されている場合には、その表面にあらかじめ水性インク受像層を形成するためのアンダーコート剤を塗布しておく。利用者が所定料金を支払い（ステップＳＴ１）、撮影ブース２０１において撮影ボタン２０７を操作すると（ステップＳＴ２）、利用者の顔写真が撮影される（ステップＳＴ３）。利用者は操作パネル２０５の表示画面２０６に表示されている操作案内に従って操作を行う。撮影画像はパーソナルコンピュータ２２２に取り込まれて、所定の画像編集が行われる。画像編集にあたっては、一般的なプリントクラブ装置のように、編集画面上において利用者の好みによって撮影画像に各種の装飾を施すことができるようにしてもよい（ステップＳＴ４）。
【００３３】
次に、編集後の撮影画像に対応する印刷データが生成されて（ステップＳＴ５）、これがインクジェットプリンタ１に供給される。パーソナルコンピュータ２２２の制御により、収納部２２１から顔型２１２がインクジェットプリンタ１の搬送トレー７に供給され、そこに設置される。図３に示すように、本例では、１０枚一組の顔型２１２が顔型保持ベース２３１に取り付けられており、１枚の顔型保持ベース２３１が搬送トレー７に供給される。顔型保持ベース２３１が担持された搬送トレー７はインクジェットプリンタ１の印字位置を経由して搬送される。印字位置を通過する間に、各顔型２１２に、撮影画像が印刷される（ステップＳＴ６）。本例では１０枚の顔型に顔写真が印刷されるので、それら１枚毎に異なった修飾が施された顔写真を印刷してもよいし、同一の顔写真画像を複数枚の顔型に印刷するようにしてもよい。これらの操作は、操作パネル２０５上において、利用者の好みに応じて選択設定できるようにしておくことが望ましい。
【００３４】
印刷終了後には、予め定められている排出口２０４から、顔写真が印刷された１０枚の顔型２１２が取り付けられた状態の顔型保持ベース２３１が利用者に払い出される（ステップＳＴ７）。
【００３５】
ここで、印刷動作中においては、操作パネル２０５の表示画面２０６上に、人形の選択を促す指示が表示される。利用者が、人形販売機２０２に展示されている人形の種類を選択して操作パネル２０５上の人形選択ボタン２０８を押すと、選択された人形が人形販売機２０２の販売口２０９から利用者に払い出される。利用者が購入した人形２１０の顔部分に印刷済みの顔型２１２の一つを取り付けることにより、利用者自身とそっくりの人形が得られる。
【００３６】
（その他の実施の形態）
上記のシステム２００では、利用者の顔写真をとり、得られた撮影画像を人形の顔型に印刷している。顔以外の部分を撮影して、人形の対応する部位に印刷するようにしてもよい。この場合には、例えば、人形販売機２０２で販売される人形を、直接に印刷システム２０３の側に搬送して、インクジェットプリンタ１によって印刷すればよい。
【００３７】
また、上記の例では、印刷後の顔型を人形に取り付けるようにしているが、人形の顔部分に直接に撮影画像を印刷してそっくり人形を制作するようにしてもよい。
【００３８】
さらに、丸顔、細面顔、三角顔、四角顔などの変形した顔部分を備えた人形あるいは顔型を用意しておき、好みの形状の顔部分を備えた人形あるいは顔型を利用者に選択させ、選択された人形の顔部分あるいは顔型に、変形した顔形に対応する形状となるように撮影画像を編集することにより生成した印刷データを、インクジェットプリンタ１により印刷してもよい。
【００３９】
また、人形の顔部分を平坦面としておき、そこに撮影画像を印刷し、印刷後の顔部分を立体形状となるように成形してもよい。この場合には、顔部分を立体形状に成形したことによって印刷画像に発生する歪みを抑制するための修正を、予め撮影画像に施すようにすればよい。
【００４０】
次に、上記の例では顔型が着脱可能となっているが、これ以外の部分を着脱可能としておくこともできる。また、そのような着脱可能な部分に対応する画像を撮影して、当該部分に印刷を施すようにしてもよい。この場合、人形の髪の毛、目、鼻、耳、唇などの着脱可能な部品として、それぞれ異なる形状をした複数種類の部品を用意しておき、印刷に先立って、これらの部品の中から希望する部品を利用者に選択させるようにしてもよい。
【００４１】
また、人形全体、あるいはそこに着脱可能に取り付けた部品を、前側片および後側片を組み合わせた部品とし、撮影時には、当該部品の前側片および後側片に対応する利用者の部位を前側および後側から撮影し、前側からの撮影画像を前側片の表面に印刷し、後側からの撮影画像を後側片の表面に印刷し、これらを背中合わせの状態で組み合わせ可能としてもよい。
【００４２】
あるいは、髪型、目、口、鼻、眉毛、耳、および顔の輪郭などの人形の部分のデザインをそれぞれ複数種類用意しておき、希望するものを利用者に選択させ、選択された画像を人形の対応する部位に印刷するようにしてもよい。
【００４３】
同様に、複数種類の服装、靴、手袋、あるいはバッグ・ベルトなどの装身具や手持ち品などのデータを用意しておき、希望するものを利用者に選択させ、選択された服装などのデザインを印刷するようにしてもよい。
【００４４】
なお、人形、顔型の素材としては、皮革、プラスチック、粘土、紙、金属、食用素材など、立体成形可能な素材であればよい。
【００４５】
次に、本発明は、そっくり人形だけでなく、ペットなどの動物、漫画のキャラクタを模した立体模型を用意しておき、そこの顔部分に利用者のペットの顔写真、利用者自身の顔写真などを印刷する場合などにも適用できる。
【００４６】
このような場合においても、印刷に先立って、複数種類の立体模型の中から希望する立体模型を利用者に選択させるようにすることができる。また、撮影画像が印刷される立体模型の面は立体表面としておくことができる。この代わりに、立体模型における撮影画像が印刷される面を平面としておき、印刷後に、立体模型の印刷部分を立体形状に成形するようにしてもよい。この場合には、立体形状に成形することによって印刷画像に発生する歪みを抑制するための修正を、印刷に先立って撮影画像に施しておくことが望ましい。
【００４７】
また、撮影画像が印刷される立体模型の部位を着脱可能な部品としておくことができる。この場合、着脱可能な部品として複数種類の部品を用意しておき、印刷に先立って、これらの部品の中から希望する部品を利用者に選択させるようにしてもよい。
【００４８】
さらに、撮影画像が印刷される立体模型の部位を、前側片および後側片を組み合わせた部品とし、撮影時に、当該部品の前側片および後側片に対応する対象物の部位を前側および後側から撮影し、前側からの撮影画像を前側片の表面に印刷し、後側からの撮影画像を後側片の表面に印刷してもよい。
【００４９】
さらには、撮影画像とは別に、予め、立体模型の各部分に印刷可能な複数種類の画像を用意しておき、印刷に先立って、利用者にこれらの画像を選択させ、撮影画像と共に、選択された画像を立体模型に印刷してもよい。
【００５０】
（インクジェットプリンタの例）
次に、図５は本例の印刷システム２００に用いることのできるインクジェットプリンタ１の概略構成図である。図示のインクジェットプリンタ１はトレー搬送ユニット２を有し、このトレー搬送ユニット２の上面３には、媒体搬送トレー７を所定方向に搬送するための送りローラ４と、複数個のガイドローラ５とが配列されている。トレー搬送ユニット２の上面３の上方にはヘッドユニット６が配置されている。ヘッドユニット６は、トレー搬送方向に直交する方向にインクジェットヘッドを往復移動させ、当該ヘッドユニット６の直下を通過する媒体搬送トレー７に搭載されている媒体に対して印刷を行う。
【００５１】
ヘッドユニット６には、左右に、それぞれ、押さえばね８が取り付けられており、各押さえばね８の先端には回転自在の状態で押さえローラ９が取り付けられている。左右の押さえローラ９は、媒体搬送トレー７の両側の上面部分７ａ、７ｂを下方に押し付けている。従って、媒体搬送トレー７の裏面は送りローラ４に押し付けられた状態に保持され、送りローラ４によって当該媒体搬送トレー７が確実に搬送される。
【００５２】
媒体搬送トレー７の左右の上面部分７ａ、７ｂの間には高さ調整可能な支持板１０が配置されており、この支持板１０の高さは、その裏面側に配置するスペーサ（図示せず）の高さ寸法によって決まるようになっている。したがって、支持板１０に乗せた顔型ベース２３１に搭載されている顔型２１２と、ヘッドユニット６のインクジェットヘッド（図示せず）とのギャップが適切な寸法となるように、スペーサにより支持板１０の高さを調節すればよい。
【００５３】
図６はインクジェットプリンタ１の代わりに用いることのできるインクジェットプリンタの例を示す概略構成図である。図示のインクジェットプリンタ１１は、トレー搬送ユニット１２と、この上方に配置されたヘッドユニット１３とを有している。トレー搬送ユニト１２には、トレー搬送方向に延びるリニアガイド１４が配置されており、このリニアガイド１４に沿って、媒体搬送トレー７Ａが往復移動可能である。
【００５４】
媒体搬送トレー７Ａは、全体として扁平な厚さの直方体形状の箱であり、その一方の側面１５には、一定の間隔で搬送方向に延びる垂直板１６が取り付けられている。垂直板１６を挟み、その内側には、垂直に配置した送りローラ１７が位置し、その外側には、ばね力によって垂直板１６を当該送りローラ１７に押し付けている複数個の押さえローラ１８が配置されている。したがって、垂直板１６は送りローラ１７に押し付けられているので、送りローラ１７の回転によって、搬送方向に送られる。よって、垂直板１６が取り付けられている媒体搬送トレー７Ａがリニアガイド１４に沿って、搬送方向に搬送される。
【００５５】
また、媒体搬送トレー７Ａは昇降ステージ１９を備えており、調整ダイヤル２０によって昇降させることが可能となっている。したがって、この昇降ステージ１９に顔型ベース２３１を乗せ、そこに搭載されている顔型２１２とヘッドユニット１３側のインクジェットヘッドとのギャップが適切な寸法となるように調節し、顔型２１２に印刷を行うことができる。
【００５６】
この構成のインクジェットプリンタ１１の媒体搬送トレー７Ａは、一方の側に送りローラ１７によって送られる垂直板１６を備えている。したがって、図５の媒体搬送トレー７のように、その上面の両側にばね押さえのスペースが不要となり、その分、媒体搬送トレー７Ａの上面を広く使うことができるという利点がある。
【００５７】
次に、図７は、インクジェットプリンタ１の代わりに用いることのできるインクジェットプリンタの別の例を示す説明図である。図示のインクジェットプリンタ２１は、トレー搬送ユニット２２と、この上方に配置したヘッドユニット２３とを有しており、トレー搬送ユニット２２の上面に沿って媒体搬送トレー７Ｂが往復移動可能となっている。トレー搬送ユニット２２の上面には、搬送方向に沿って、複数個のガイドローラ２４が配列されている。また、モータ駆動される送りローラ２５と、この送りローラ２５に対して上側からばね力によって押し付けられている押さえローラ２６とが配置されている。
【００５８】
媒体搬送トレー７Ｂは扁平な箱型形状をしており、その裏面２７に一定の間隔で平行に延びる水平板２８が取り付けられている。この水平板２８の表面には摩擦係数の大きなフィルムあるいはシートが貼り付けられており、この水平板２８が、送りローラ２５と押さえローラ２６の間に挟まれている。したがって、送りローラ２５の回転により、水平板２８が搬送され、これが取り付けられている媒体搬送トレー７Ｂが搬送される。
【００５９】
媒体搬送トレー７Ｂの上面は昇降板２９によって規定されており、昇降板２９は前後一対の平行なリンク３１、３２と、これらを下端を中心として前後に揺動させるための直動機構３３からなる平行クランク機構によって支持されている。調整ダイヤル３４を回すと、ボールねじ・ナットなどから構成されている直動機構３３によって平行なリンク３１、３２が前後に揺動して、昇降板２９が同一姿勢を保持したまま昇降する。したがって、この上に乗せた顔型保持ベース２３１に搭載されている顔型２１２と、ヘッドユニット２３のインクジェットヘッド２３ａとのギャップを適切な寸法に調節することができる。
【００６０】
ここで、媒体搬送トレー７Ｂは、一般的な紙葉類とは異なり重量があるので、慣性力によって所定の位置に止まらず、行き過ぎてしまうことがある。媒体搬送トレー７Ｂの搬送位置を精度良く制御できないと、印刷ドット間隔が搬送方向に広がって、印刷画像が部分的に搬送方向に伸びて変形してしまう。この弊害を防止するためには、図７（ｃ）に概念図を示すように、媒体搬送トレー７Ｂに対して、搬送方向に向けて常に一定のブレーキ力を加える負荷機構４０を取り付けておくことが望ましい。例えば、引き出し量が変わっても常に一定のトルクを発生させることのできる定荷重ばね、たとえばコンストン（登録商標）ばね４０を用いることができる。
【図面の簡単な説明】
【００６１】
【図１】本発明を適用した印刷システムの全体構成図である。
【図２】図１の印刷システムに用いる人形および顔型を示す説明図である。
【図３】顔型を保持している保持ベースを示す斜視図および断面図である。
【図４】図１の印刷システムにおける印刷動作を示す概略フローチャートである。
【図５】図１のインクジェットプリンタの一例を示す説明図である。
【図６】図１のインクジェットプリンタの他の例を示す概略構成図および部分説明図である。
【図７】図１のインクジェットプリンタの他の例を示す図であり、（ａ）は搬送方向に直交する断面構成を示す説明図、（ｂ）は搬送方向に平行な断面を示す説明図、（ｃ）は媒体搬送トレーの負荷機構を示す概念図である。
【符号の説明】
【００６２】
１、１１、２１  インクジェットプリンタ
７、７Ａ、７Ｂ  搬送トレー
２００  制作システム
２０１  撮影ブース
２０２  人形販売機
２０３  印刷ステーション
２０４  排出口
２０５  操作パネル
２０６  カメラ
２０７  撮影ボタン
２０８  人形選択ボタン
２０９  排出口
２１０  人形
２１１  顔部分
２１２  顔型
２１３  突起
２１４  差込穴
２２１  収納部
２２２  パーソナルコンピュータ
２３１  顔型保持ベース
２３２  取付部
２３３  取付孔
【図１】
0004597600.tif 000002
【図２】
0004597600.tif 000003
【図３】
0004597600.tif 000004
【図４】
0004597600.tif 000005
【図５】
0004597600.tif 000006
【図６】
0004597600.tif 000007
【図７】
0004597600.tif 000008